(57)【要約】【課題】無停電で正確に変流器の変流比を変換することができる変流器用端子台を提供する。【解決手段】送配電線の各相に設置されている変流器の変流比を変換するために用いられる変流器用端子台１０であって、送配電線の各相について、変流比切換棒２０を用いて、第１の入力端子１２R1，１２W1，１２B1と出力端子１３R1，１３W1，１３B1とを電気的に接続するための第１の入力側導電板および第１の出力側導電板を電気的に接続した状態から第２の入力端子１２R2，１２W2，１２B2と出力端子１３R1，１３W1，１３B1とを電気的に接続するための第２の入力側導電板および第２の出力側導電板を電気的に接続した状態にまたはその逆に切り換えて変流比の変換を行う。【選択図】図１
2008108853.tif 000002
【特許請求の範囲】
【請求項１】
送配電線の各相に設置されている変流器の変流比を変換するために用いられる変流器用端子台であって、
前記送配電線の各相について、
第１の入力端子、第２の入力端子および出力端子を本体の前面板に設け、
前記第１の入力端子と前記出力端子とを電気的に接続するための第１の入力側導電板および第１の出力側導電板と、前記第２の入力端子と前記出力端子とを電気的に接続するための第２の入力側導電板および第２の出力側導電板とを前記本体内に設け、
機械的切換手段を用いて前記第１の入力側導電板および前記第１の出力側導電板を電気的に接続した状態から前記第２の入力側導電板および前記第２の出力側導電板を電気的に接続した状態にまたは逆に切り換えて変流比の変換を行う、
ことを特徴とする、変流器用端子台。
【請求項２】
前記機械的切換手段を用いた前記第１の入力側導電板および前記第１の出力側導電板と前記第２の入力側導電板および前記第２の出力側導電板との電気的接続の切換時に、前記機械的切換手段が該第１および第２の入力側導電板を電気的に接続することを特徴とする、請求項１記載の変流器用端子台。
【請求項３】
前記送配電線の各相について、短絡端子を前記本体の前面板に設け、該短絡端子を前記出力端子と電気的に接続し、
前記送配電線の相の数と等しい数の貫通孔（５２1〜５２3）が形成されたかつ前記送配電線の各相の短絡端子を電気的に接続する短絡用板（５１）と前記送配電線の相の数と等しい数の短絡用ネジ（５３1〜５３3）とを備え、
前記短絡端子が、前記短絡用ネジと螺合するネジ穴となっている、
ことを特徴とする、請求項１または２記載の変流器用端子台。
【請求項４】
前記機械的切換手段を用いた前記第１の入力側導電板および前記第１の出力側導電板と前記第２の入力側導電板および前記第２の出力側導電板との電気的接続の切換に連動して該切換後の前記変流器の変流比を表示するための変流比表示手段（３０；２３０；３３０R，３３０W，３３０B，３３１R，３３１W，３３１B，３３２R，３３２W，３３２B；４３０）をさらに備えることを特徴とする、請求項１乃至３いずれかに記載の変流器用端子台。
【請求項５】
送配電線の各相に設置されている変流器の変流比を変換するために用いられる変流器用端子台（１０）であって、
本体（１１）と、
棒状の絶縁体部（２１）、該絶縁体部の上端に取り付けられた頭部（２２）、および、該絶縁体部の外周に取り付けられた導電体部（２３1〜２３3）を備える変流比切換棒（２０）と、
前記本体の前面板（１１1）に前記送配電線の相ごとに設けられた第１の入力端子（１２R1，１２W1，１２B1）と、
前記変流比切換棒の前記絶縁体部の軸方向に対して前記第１の入力端子と所定の間隔を置いて前記本体の前面板に前記送配電線の相ごとに設けられた第２の入力端子（１２R2，１２W2，１２B2）と、
前記本体の前面板に前記送配電線の相ごとに設けられた出力端子（１３R1，１３W1，１３B1）と、
前記送配電線の各相について前記第１の入力端子と前記出力端子とを電気的に接続するための第１の入力側導電板（４３RI1）および該第１の入力側導電板と電気的に切り離された第１の出力側導電板（４３RO1）と、
前記送配電線の各相について前記第２の入力端子と前記出力端子とを電気的に接続するための第２の入力側導電板（４３RI2）および該第２の入力側導電板と電気的に切り離された第２の出力側導電板（４３RO2）とを具備し、
前記変流比切換棒を前記絶縁体部の軸方向に移動して、前記送配電線の各相について、該変流比切換棒の前記導電体部を介して前記第１の入力側導電板および前記第１の出力側導電板と前記第２の入力側導電板および前記第２の出力側導電板とのいずれか一方を電気的に接続して変流比の変換を行う、
ことを特徴とする、変流器用端子台。
【請求項６】
前記変流比切換棒の前記導電体部の外周に、ネジ山（２４1，２４2，２４3）が形成されており、
前記第１および第２の入力側導電板の前記第１および第２の入力端子と反対側の先端部に、前記導電体部の前記ネジ山と螺合する他のネジ山（４４RI1，４４RI2，４４WI1，４４WI2，４４BI1，４４BI2）が形成されており、
前記第１および第２の出力側導電板の前記出力端子と反対側の先端部に、前記導電体部のねじ山と螺合する更に他のネジ山（４４RO1，４４RO2，４４WO1，４４WO2，４４BO1，４４BO2）が形成されている、
ことを特徴とする、請求項５記載の変流器用端子台。
【請求項７】
前記第１および第２の入力側導電板が、前記第１および第２の入力端子と反対側に、弾力性のある導電性の金属からなる先端部（１４４RI1，１４４RI2，１４４WI1，１４４WI2，１４４BI1，１４４BI2）を有し、
前記第１および第２の出力側導電板が、前記出力端子と反対側に、弾力性のある導電性の金属からなる他の先端部（１４４RO1，１４４RO2，１４４WO1，１４４WO2，１４４BO1，１４４BO2）を有する、
ことを特徴とする、請求項５記載の変流器用端子台。
【請求項８】
連結棒（２３１）、該連結棒の一端に設けられた円板状の歯車（２３２）および該連結棒の他端に設けられた表示用円板（２３３）を備えた変流比表示器（２３０）をさらに具備し、
前記表示用円板の表面に、前記本体上に設けられた変流比表示板に書かれた変流比を指すための印が表示されており、
前記変流比切換棒の前記絶縁体部に、前記歯車と噛み合う複数本の三角溝（２２５）が形成されている、
ことを特徴とする、請求項５乃至７いずれかに記載の変流器用端子台。
【請求項９】
送配電線の各相に設置されている変流器の変流比を変換するために用いられる変流器用端子台（３００）であって、
本体（３１１）と、
該本体の前面板（３１１1）に前記送配電線の相ごとに設けられた第１の入力端子（３１２R1，３１２W1，３１２B1）と、
前記本体の縦方向に対して前記第１の入力端子と所定の間隔を置いて前記本体の前面板に前記送配電線の相ごとに設けられた第２の入力端子（３１２R2，３１２W2，３１２B2）と、
前記本体の前面板に前記送配電線の相ごとに設けられた出力端子（３１３R1，３１３W1，３１３B1）と、
前記送配電線の各相について前記第１および第２の入力端子と前記出力端子とをそれぞれ電気的に接続するための第１および第２の入力側導電板（３４３RI1，３４３WI1，３４３BI1；３４３RI2，３４３WI2，３４３BI2）および該第１および第２の入力側導電板と電気的に切り離された出力側導電板（３４３RO1，３４３WO1，３４３BI1）と、
前記送配電線の各相用のタップネジ（３２０R，３２０W，３２０B）とを具備し、
前記タップネジを前記本体の前後方向に移動して、前記送配電線の各相について、前記タップネジを介して前記第１の入力側導電板および前記出力側導電板と前記第２の入力側導電板および前記出力側導電板とのいずれか一方を電気的に接続して変流比の変換を行う、
ことを特徴とする、変流器用端子台。
【請求項１０】
前記タップネジが、絶縁体からなる頭部（３２２R，３２２W，３２２B）と、導電体からなるネジ部（３２３R，３２３W，３２３B）とを備え、
前記第１および第２の入力側導電板の前記第１および第２の入力端子と反対側の先端部に、前記タップネジの前記ネジ部と螺合するネジ山（３４４RI1，３４４WI1，３４４BI1；３４４RI2，３４４WI2，３４４BI2）がそれぞれ形成されており、
前記出力側導電板の前記出力端子と反対側の先端部に、前記タップネジの前記ネジ部と螺合する他のネジ山（３４４RO1，３４４WO1，３４４BO1）が形成されている、
ことを特徴とする、請求項９記載の変流器用端子台。
【発明の詳細な説明】
【技術分野】
【０００１】
本発明は、変流器用端子台に関し、特に、無停電で変流比を変換するのに好適な変流器用端子台に関する。
【背景技術】
【０００２】
従来、たとえば図１８に示すような送電線または配電線（以下、「送配電線」と称する。）の各相（赤相、白相および青相）に設置されている変流器６００1，６００2，６００3の変流比を１５００Ａ：５Ａ（ｋ２）から３０００Ａ：５Ａ（ｋ１）に変換する場合には、図１９（ａ）に示すように、変流器用端子台６１０とリレー盤や計測盤とを接続する制御ケーブル６２０1，６２０2，６２０3を切断して行われている。
このとき、制御ケーブル６２０1，６２０2，６２０3には、変流比および相を示す線番“２ｋ２１”，“２ｋ２２”，“２ｋ２３”が付されているため、図１９（ｂ）に制御ケーブル６２０1について示すように、制御ケーブル６２０1，６２０2，６２０3の先端部に接続されている圧着端子６２１1，６２１2，６２１3を切断し、制御ケーブル６２０1，６２０2，６２０3の線番“２ｋ２１”，“２ｋ２２”，“２ｋ２３”を新たな線番“２ｋ１１”，“２ｋ１２”，“２ｋ１３”に入れ替えたのち、新たな圧着端子６２２1，６２２2，６２２3を制御ケーブル６２０1，６２０2，６２０3の先端部に接続している。ここで、線番“２ｋａｂ”のａ＝１は変流比３０００Ａ：５Ａを示し、ａ＝２は変流比１５００Ａ：５Ａを示し、ｂ＝１，２，３は送配電線の相を示す。
【０００３】
なお、変流器用端子台６１０から離れた場所に設置された他の変流器用端子台に制御ケーブル６２０1，６２０2，６２０3を接続して変流比を変換する際に制御ケーブル６２０1，６２０2，６２０3の長さが足りない場合には、制御ケーブル６２０1，６２０2，６２０3を新たな制御ケーブルに張り替えている。
【０００４】
また、図２０（ａ）に示すような二段構造のスタッド形端子６３０を図２０（ｄ）に示すように４個並べて図２０（ｂ）に示すような短絡片６３１を使用して１段目の変流比３０００Ａ：５Ａと２段目の変流比１５００Ａ：５Ａとを切り換えるようにした変流器用端子台において１段目の変流比３０００Ａ：５Ａを２段目の変流比１５００Ａ：５Ａに変換する場合には、図２０（ｃ）に示すように４個のスタッド形端子６３０の２段目にも４つの短絡片６３１を挿入したのち、１段目に挿入されていた４つの短絡片６３１をすべて外している。
【０００５】
さらに、下記の特許文献１には、変流比の数に依存することなく装置の大型化を回避しかつ変流比の変換のための作業を簡便化するために、二次巻線から引き出された複数のタップのうち二次巻線の一方の端部から引き出されたタップを一つの端子台に接続し、他のタップをロータリスイッチの各摺動接点に接続し、ロータリスイッチの回動子を他の一つの端子台に接続し、両端子台に二次配線を接続して、変流比の切換をロータリスイッチによって行う変流器装置が開示されている。
【特許文献１】特開平８−１１５８３８号公報
【発明の開示】
【発明が解決しようとする課題】
【０００６】
しかしながら、上述した従来の変流器の変流比を変換する方法では、以下に示すような問題がある。
（１）制御ケーブルを切断して変流器の変流比を変換する方法では、変流器回路（ＣＴ回路）がオープンとなるために電力系統を停電させる必要があるほか、変流比の変換に伴う試験を行うために費用がかかる。また、制御ケーブルの線番を変更したり制御ケーブルの張替えを行ったりする必要がある。
（２）短絡片を使用して変流器の変流比を変換する方法では、導電部が露出している箇所があるために作業員が感電するおそれがある。また、作業員が誤って短絡片を挿入したり取外したりして開放状態になる可能性があるほか、短絡片は同じで大きさで同じ形状をしておりスタッド形端子の一段目および二段目のどこにでも挿入することができるために作業員の挿入または取外しミスにより正確な変換ができない可能性がある。
（３）変流比の切換をロータリスイッチによって行う方法は、貫通形変流器には使用することができるが、ブッシング変流器には使用することができない。
【０００７】
本発明の目的は、無停電で正確に変流器の変流比を変換することができる変流器用端子台を提供することにある。
【課題を解決するための手段】
【０００８】
本発明の第１の変流器用端子台は、送配電線の各相に設置されている変流器の変流比を変換するために用いられる変流器用端子台であって、前記送配電線の各相について、第１の入力端子、第２の入力端子および出力端子を本体の前面板に設け、前記第１の入力端子と前記出力端子とを電気的に接続するための第１の入力側導電板および第１の出力側導電板と、前記第２の入力端子と前記出力端子とを電気的に接続するための第２の入力側導電板および第２の出力側導電板とを前記本体内に設け、機械的切換手段を用いて前記第１の入力側導電板および前記第１の出力側導電板を電気的に接続した状態から前記第２の入力側導電板および前記第２の出力側導電板を電気的に接続した状態にまたは逆に切り換えて変流比の変換を行うことを特徴とする。
ここで、前記機械的切換手段を用いた前記第１の入力側導電板および前記第１の出力側導電板と前記第２の入力側導電板および前記第２の出力側導電板との電気的接続の切換時に、前記機械的切換手段が該第１および第２の入力側導電板を電気的に接続してもよい。
前記送配電線の各相について、短絡端子を前記本体の前面板に設け、該短絡端子を前記出力端子と電気的に接続し、前記送配電線の相の数と等しい数の貫通孔（５２1〜５２3）が形成されたかつ前記送配電線の各相の短絡端子を電気的に接続する短絡用板（５１）と前記送配電線の相の数と等しい数の短絡用ネジ（５３1〜５３3）とを備え、前記短絡端子が、前記短絡用ネジと螺合するネジ穴となっていてもよい。
前記機械的切換手段を用いた前記第１の入力側導電板および前記第１の出力側導電板と前記第２の入力側導電板および前記第２の出力側導電板との電気的接続の切換に連動して該切換後の前記変流器の変流比を表示するための変流比表示手段（３０；２３０；３３０R，３３０W，３３０B，３３１R，３３１W，３３１B，３３２R，３３２W，３３２B；４３０）をさらに備えてもよい。
【０００９】
本発明の第２の変流器用端子台は、送配電線の各相に設置されている変流器の変流比を変換するために用いられる変流器用端子台（１０）であって、本体（１１）と、棒状の絶縁体部（２１）、該絶縁体部の上端に取り付けられた頭部（２２）、および、該絶縁体部の外周に取り付けられた導電体部（２３1〜２３3）を備える変流比切換棒（２０）と、前記本体の前面板（１１1）に前記送配電線の相ごとに設けられた第１の入力端子（１２R1，１２W1，１２B1）と、前記変流比切換棒の前記絶縁体部の軸方向に対して前記第１の入力端子と所定の間隔を置いて前記本体の前面板に前記送配電線の相ごとに設けられた第２の入力端子（１２R2，１２W2，１２B2）と、前記本体の前面板に前記送配電線の相ごとに設けられた出力端子（１３R1，１３W1，１３B1）と、前記送配電線の各相について前記第１の入力端子と前記出力端子とを電気的に接続するための第１の入力側導電板（４３RI1）および該第１の入力側導電板と電気的に切り離された第１の出力側導電板（４３RO1）と、前記送配電線の各相について前記第２の入力端子と前記出力端子とを電気的に接続するための第２の入力側導電板（４３RI2）および該第２の入力側導電板と電気的に切り離された第２の出力側導電板（４３RO2）とを具備し、前記変流比切換棒を前記絶縁体部の軸方向に移動して、前記送配電線の各相について、該変流比切換棒の前記導電体部を介して前記第１の入力側導電板および前記第１の出力側導電板と前記第２の入力側導電板および前記第２の出力側導電板とのいずれか一方を電気的に接続して変流比の変換を行うことを特徴とする。
ここで、前記変流比切換棒の前記導電体部の外周に、ネジ山（２４1，２４2，２４3）が形成されており、前記第１および第２の入力側導電板の前記第１および第２の入力端子と反対側の先端部に、前記導電体部の前記ネジ山と螺合する他のネジ山（４４RI1，４４RI2，４４WI1，４４WI2，４４BI1，４４BI2）が形成されており、前記第１および第２の出力側導電板の前記出力端子と反対側の先端部に、前記導電体部のねじ山と螺合する更に他のネジ山（４４RO1，４４RO2，４４WO1，４４WO2，４４BO1，４４BO2）が形成されていてもよい。
前記第１および第２の入力側導電板が、前記第１および第２の入力端子と反対側に、弾力性のある導電性の金属からなる先端部（１４４RI1，１４４RI2，１４４WI1，１４４WI2，１４４BI1，１４４BI2）を有し、前記第１および第２の出力側導電板が、前記出力端子と反対側に、弾力性のある導電性の金属からなる他の先端部（１４４RO1，１４４RO2，１４４WO1，１４４WO2，１４４BO1，１４４BO2）を有してもよい。
連結棒（２３１）、該連結棒の一端に設けられた円板状の歯車（２３２）および該連結棒の他端に設けられた表示用円板（２３３）を備えた変流比表示器（２３０）をさらに具備し、前記表示用円板の表面に、前記本体上に設けられた変流比表示板に書かれた変流比を指すための印が表示されており、前記変流比切換棒の前記絶縁体部に、前記歯車と噛み合う複数本の三角溝（２２５）が形成されていてもよい。
【００１０】
本発明の第３の変流器用端子台は、送配電線の各相に設置されている変流器の変流比を変換するために用いられる変流器用端子台（３００）であって、本体（３１１）と、該本体の前面板（３１１1）に前記送配電線の相ごとに設けられた第１の入力端子（３１２R1，３１２W1，３１２B1）と、前記本体の縦方向に対して前記第１の入力端子と所定の間隔を置いて前記本体の前面板に前記送配電線の相ごとに設けられた第２の入力端子（３１２R2，３１２W2，３１２B2）と、前記本体の前面板に前記送配電線の相ごとに設けられた出力端子（３１３R1，３１３W1，３１３B1）と、前記送配電線の各相について前記第１および第２の入力端子と前記出力端子とをそれぞれ電気的に接続するための第１および第２の入力側導電板（３４３RI1，３４３WI1，３４３BI1；３４３RI2，３４３WI2，３４３BI2）および該第１および第２の入力側導電板と電気的に切り離された出力側導電板（３４３RO1，３４３WO1，３４３BI1）と、前記送配電線の各相用のタップネジ（３２０R，３２０W，３２０B）とを具備し、前記タップネジを前記本体の前後方向に移動して、前記送配電線の各相について、前記タップネジを介して前記第１の入力側導電板および前記出力側導電板と前記第２の入力側導電板および前記出力側導電板とのいずれか一方を電気的に接続して変流比の変換を行うことを特徴とする。
ここで、前記タップネジが、絶縁体からなる頭部（３２２R，３２２W，３２２B）と、導電体からなるネジ部（３２３R，３２３W，３２３B）とを備え、前記第１および第２の入力側導電板の前記第１および第２の入力端子と反対側の先端部に、前記タップネジの前記ネジ部と螺合するネジ山（３４４RI1，３４４WI1，３４４BI1；３４４RI2，３４４WI2，３４４BI2）がそれぞれ形成されており、前記出力側導電板の前記出力端子と反対側の先端部に、前記タップネジの前記ネジ部と螺合する他のネジ山（３４４RO1，３４４WO1，３４４BO1）が形成されていてもよい。
【発明の効果】
【００１１】
本発明の変流器用端子台は、以下に示す効果を奏する。
（１）変流器とリレー盤などとの電気的接続を維持したまま変流器の変流比を変換できるので、変流比の変換時に無停電になったり開放状態となったりすることを防止できる。
（２）作業員は変換後の変流比を表示によって確認することができるので、変流器の変流比を正確に変換できる。
（３）制御ケーブルを接続したままで変流器の変流比を変換することができるので、制御ケーブルの線番を変更したり制御ケーブルの張替えを行ったりする必要がない。
（４）変流器の変流比の変換後に試験を行う必要がないので、この試験に伴う費用がかからない。
【発明を実施するための最良の形態】
【００１２】
上記の目的を、送配電線の各相について、機械的切換手段を用いて、第１の入力端子と出力端子とを電気的に接続するための第１の入力側導電板および第１の出力側導電板を電気的に接続した状態から第２の入力端子と出力端子とを電気的に接続するための第２の入力側導電板および第２の出力側導電板を電気的に接続した状態にまたはその逆に切り換えて変流比の変換を行うことにより実現した。
【実施例１】
【００１３】
以下、本発明の変流器用端子台の実施例について、図面を参照して説明する。
まず、本発明の第１の実施例による変流器用端子台について、図１乃至図８を参照して説明する。なお、本発明による変流器用端子台は送配電線の赤相、白相および青相に設置されている変流器の変流比を１台で変換するものであるために各相は同じ構成であるので、詳細な構成は主に赤相用を図示し、白相用および青相用の詳細な構成は特に必要でない限り図示しないが、同じ符号に赤相用には“Ｒ”，白相用には“Ｗ”、青相用には“Ｂ”を下付きで付すことにより、どの相の構成要素であるかを示して以下では説明する。
本実施例による変流器用端子台１０は、図１（ａ）に示すように、本体１１と、本体１１の前面板１１1の図示左側に設けられた赤相用、白相用および青相用の入力端子１２R1〜１２R3，１２W1〜１２W3，１２B1〜１２B3と、本体１１の前面板１１1の図示右側に設けられた赤相用、白相用および青相用の出力端子１３R1，１３R2，１３W1，１３W2，１３B1，１３B2と、赤相用、白相用および青相用の出力端子１３R1，１３R2，１３W1，１３W2，１３B1，１３B2の間にそれぞれ設けられた赤相用、白相用および青相用の短絡端子１４R，１４W，１４Bと、変流比切換棒２０と、表示用三角板３０とを具備する。
【００１４】
本体１１の上面板の中央部には、変流比切換棒２０を貫通させるための貫通孔（不図示）が形成されている。
【００１５】
本体１１の内部には、赤相用、白相用および青相用の接続板４０R，４０W，４０Bが取り付けられている。
赤相用の接続板４０Rは、図２に示すように、絶縁板４１Rと、２個の入力側導電板４３RI1，４３RI2と、２個の出力側導電板４３RO1，４３RO2と、１個の導電板４３R3と、３個の入力側接続部４５RI1，４５RI2，４５RI3と、２個の出力側接続部４５RO1，４５RO2とを備える。
絶縁板４１Rの中央部には、変流比変換棒２０を貫通させるための貫通孔４２Rが形成されている。
【００１６】
入力側導電板４３RI1は、図４（ａ）に示すように、幅Ｗ１が貫通孔４２Rの径よりも小さくされており、また、幅方向の中心線が貫通孔４２Rの中心と一致するように絶縁板４１R内に設けられている。入力側導電板４３RI1の一端部は入力側接続部４５RI1を介して入力端子１２R1と電気的に接続されている。入力側導電板４３RI1の他端部の先端部は貫通孔４２Rの内面に露出しており、また、入力側導電板４３RI1の他端部の先端部には、図３に示すように、ネジ山４４RI1が形成されている。
出力側導電板４３RO1は、図４（ａ）に示すように、入力側導電板４３RI1と同じ幅Ｗ１を有し、幅方向の中心線が貫通孔４２Rの中心と一致するように絶縁板４１R内に設けられている。出力側導電板４３RO1の一端部は出力側接続部４５RO1を介して出力端子１３R1および短絡端子１４Rと電気的に接続されている（すなわち、出力端子１３R1および短絡端子１４Rは出力側接続部４５RO1によって電気的に接続されている。）。出力側導電板４３RO1の他端部の先端部は貫通孔４２Rの内面に露出しており、また、出力側導電板４３RO1の他端部の先端部には、図３に示すように、ネジ山４４RO1が形成されている。
【００１７】
入力側導電板４３RI2は、図４（ｂ）に示すように、幅Ｗ２が貫通孔４２Rの径よりも小さくされており、また、幅方向の中心線が貫通孔４２Rの中心と一致するように絶縁板４１R内の入力側導電板４３RI1よりも下側に設けられている。入力側導電板４３RI2の一端部は入力側接続部４５RI2を介して入力端子１２R2と電気的に接続されている。入力側導電板４３RI2の他端部の先端部は貫通孔４２Rの内面に露出しており、また、入力側導電板４３RI2の他端部の先端部には、図３に示すように、ネジ山４４RI2が形成されている。
出力側導電板４３RO2は、図４（ｂ）に示すように、入力側導電板４３RI2と同じ幅Ｗ２を有し、幅方向の中心線が貫通孔４２Rの中心と一致するように絶縁板４１R内の出力側導電板４３RO1よりも下側に設けられている（図２および図３参照）。出力側導電板４３RO2の一端部は出力側接続部４５RO1を介して出力端子１３R1および短絡端子１４Rと電気的に接続されている（すなわち、出力側導電板４３RO1と出力側導電板４３RO2とは出力側接続部４５RO1によって電気的に接続されている。）。出力側導電板４３RO2の他端部の先端部は貫通孔４２Rの内面に露出しており、また、出力側導電板４３RO2の他端部の先端部には、図３に示すように、ネジ山４４RO2が形成されている。
【００１８】
導電板４３R3は、図４（ｃ）に示すように、幅Ｗ３が貫通孔４２Rの径よりも大きくされており、また、幅方向の中心線が貫通孔４２Rの中心と一致するように絶縁板４１R内の入力側導電板４３RI2および出力側導電板４３RO2よりも下側に設けられている（図２参照）。導電板４３R3の一端部は入力側接続部４５RI3を介して入力端子１２R3と電気的に接続されている。また、導電板４３R3の他端部は出力側接続部４５RO2を介して出力端子１３R2と電気的に接続されている。
【００１９】
白相用および青相用の接続板４０W，４０Bは、上述した赤相用の接続板４０Rと同様に構成されている。
【００２０】
変流比切換棒２０は、図５（ａ）に示すように、丸棒状の絶縁体部２１と、絶縁体部２１の上端に取り付けられた頭部２２と、円筒状の第１乃至第３の導電体部２３1〜２３3とを備える。
ここで、第１乃至第３の導電体部２３1〜２３3の外周面全面には、図３に第１の導電体部２３1について示すように、入力側導電板４３RI1，４３RI2，４３WI1，４３WI2，４３BI1，４３BI2および出力側導電板４３RO1，４３RO2，４３WO1，４３WO2，４３BO1，４３BO2に形成されたネジ山４４RI1，４４RI2，４４WI1，４４WI2，４４BI1，４４BI2，４４RO1，４４RO2，４４WO1，４４WO2，４４BO1，４４BO2と螺合する第１乃至第３のネジ山２４1〜２４3がそれぞれ形成されている。これにより、図５（ａ）〜（ｃ）に示すように作業者が変流比切換棒２０の頭部２２を摘んで回せば変流比切換棒２０を絶縁体部２１の軸方向に移動することができるとともに、変流比切換棒２０を絶縁体部２１の軸方向の任意の位置に停止させることができる。
【００２１】
第１乃至第３の導電体部２３1〜２３3は、赤相用の入力側導電板４３RI1および白相用の入力側導電板４３WI1の間隔（＝白相用の入力側導電板４３WI1および青相用の入力側導電板４３BI1の間隔）Ｌ１で絶縁体部２１の外周に取り付けられている。
第１乃至第３の導電体部２３1〜２３3の長さ（絶縁体部２１の軸方向の長さ）は、赤相用の入力側導電板４３RI1，４３RI2の間隙長（＝白相用の入力側導電板４３WI1，４３WI2の間隙長＝青相用の入力側導電板４３BI1，４３BI2の間隙長）Ｌ２よりも長く、かつ、赤相用の入力側導電板４３RI1，４３RI2の間隔（＝白相用の入力側導電板４３WI1，４３WI2の間隔＝青相用の入力側導電板４３BI1，４３BI2の間隔）Ｌ３よりも短くされている。
変流比切換棒２０の頭部２２および第１の導電体部２３1の間隔は、赤相用の入力側導電板４３RI1，４３RI2の間隔Ｌ３とほぼ同じ長さにされている。
【００２２】
これにより、図５（ａ）に示すように第１の導電体部２３1が本体１１の上面板に当接したときには第１乃至第３の導電体部２３1〜２３3が赤相用の入力側導電板４３RI1および出力側導電板４３RO1と白相用の入力側導電板４３WI1および出力側導電板４３WO1と青相用の入力側導電板４３BI1および出力側導電板４３BO1とのみにそれぞれ接触し、かつ、図５（ｃ）に示すように変流比切換棒２０の頭部２２が本体１１の上面板に当接したときには第１乃至第３の導電体部２３1〜２３3が赤相用の入力側導電板４３RI2および出力側導電板４３RO2と白相用の入力側導電板４３WI2および出力側導電板４３WO2と青相用の入力側導電板４３BI2および出力側導電板４３BO2とのみにそれぞれ接触するようにすることができるので、変流比切換棒２０を絶縁体部２１の軸方向に移動することによって変流比を変換することができる。
【００２３】
また、図５（ｂ）に示すように変流比の変換時には第１乃至第３の導電体部２３1〜２３3が赤相用の入力側導電板４３RI1，４３RI2および出力側導電板４３RO1，４３RO2と白相用の入力側導電板４３WI1，４３WI2および出力側導電板４３WO1，４３WO2と青相用の入力側導電板４３BI1，４３BI2および出力側導電板４３BO1，４３BO2にそれぞれ接触するようにすることができる。
【００２４】
第１乃至第３の導電体部２３1〜２３3の外径は、本体１１の上面板に形成された貫通孔の径よりも大きくされている。これにより、変流比切換棒２０を絶縁体部２１の軸方向に移動する範囲を本体１１の上面板によって制限することができる（すなわち、本体１１の上面板を変流比切換棒２０のストッパとして機能させることができる。）。
【００２５】
変流比切換棒２０の絶縁体部２１の下端には表示用三角板３０が取り付けられており、また、本体１１の前面板１１1には変流比３０００：５を示す表示「３０００／５用」
および変流比１５００：５を示す表示「１５００／５用」が書かれている。
これにより、図１（ａ），（ｂ）に示すように、第１の導電体部２３1が本体１１の上面板に当接するように変流比切換棒２０を移動したときには表示用三角板３０が表示「３０００／５用」を指し、変流比切換棒２０の頭部２２が本体１１の上面板に当接するように変流比切換棒２０を移動したときには表示用三角板３０が表示「１５００／５用」を指すので、作業者は変流比の確認を容易に行うことができる。
【００２６】
赤相用、白相用および青相用の短絡端子１４R，１４W，１４Bは、図６（ｂ）に示す第１乃至第３の短絡用ネジ５３1〜５３3とそれぞれ螺合するネジ穴となっている。これにより、図６（ａ）に示す導電性の短絡用板５１に形成された第１乃至第３の貫通孔５２1〜５２3に第１乃至第３の短絡用ネジ５３1〜５３3を貫通させて短絡端子１４R，１４W，１４Bにそれぞれ螺合させることにより、赤相、白相および青相を電気的に短絡状態とすることができる。
その結果、たとえば赤相用の出力端子１３R1に接続されている制御ケーブル（図１９（ａ）参照）を外す場合に、図７に太線で示すように短絡用板５１を用いて赤相、白相および青相（赤相用、白相用および青相用の出力側導電板４３R01，４３W01，４３B01）を電気的に短絡すれば、変流器回路（ＣＴ回路）がオープンとなることを防ぐことができるために、停電する必要をなくすことができる。
なお、第１乃至第３の短絡用ネジ５３1〜５３3の頭部は、作業員が感電しないように、絶縁体から構成されている。
【００２７】
次に、図１８に示したように送配電線の各相（赤相、白相および青相）に設置されている変流器６００1，６００2，６００3の変流比を１５００Ａ：５Ａ（ｋ２）から３０００Ａ：５Ａ（ｋ１）に変流比切換棒２０を用いて変換する場合における作業手順について、図８（ａ），（ｂ）を参照して説明する。
【００２８】
変流器６００1，６００2，６００3の変流比が１５００Ａ：５Ａに設定されている場合には、変流比切換棒２０は図８（ａ）に示すように頭部２２が本体１１の上面板に当接した状態になっているため、作業員は、図８（ｂ）に示すように変流比切換棒２０の第１の導電体部２３1が本体１１の上面板に当接するまで変流比切換棒２０の頭部２２を摘んで回す。
【００２９】
これにより、図１９に示した従来の変流器用端子台６１０を用いた場合に必要であった制御ケーブル６２０1〜６２０3を切断することなしに、変流器６００1，６００2，６００3の変流比を１５００Ａ：５Ａから３０００Ａ：５Ａに変換することができる。
また、変流比切換棒２０を回していく途中の段階では、図５（ｂ）に示したように変流比切換棒２０の第１乃至第３の導電体部２３1〜２３3が赤相用の入力側導電板４３RI1，４３RI2および出力側導電板４３RO1，４３RO2と白相用の入力側導電板４３WI1，４３WI2および出力側導電板４３WO1，４３WO2と青相用の入力側導電板４３BI1，４３BI2および出力側導電板４３BO1，４３BO2にそれぞれ接触するため、変流比の切換時に出力端子１３R1，１３W1，１３B1が開放状態になることを防止することができる。
【００３０】
以上の説明においては、赤相用、白相用および青相用の接続板４０R，４０W，４０Bを絶縁板４１R，４１W，４１Bを用いて構成したが、絶縁板４１R，４１W，４１Bはなくてもよい。この場合には、赤相用、白相用および青相用の入力側導電板４３RI1，４３RI2，４３WI1，４３WI2，４３BI1，４３BI2、出力側導電板４３RO1，４３RO2，４３WO1，４３WO2，４３BO1，４３BO2、導電板４３R3，４３W3，４３B3、入力側接続部４５RI1，４５RI2，４５RI3，４５WI1，４５WI2，４５WI3，４５BI1，４５BI2，４５BI3および出力側接続部４５RO1，４５RO2，４５WO1，４５WO2，４５BO1，４５BO2は、本体１１と電気的に絶縁された状態で本体１１内に取り付けられる。
また、変流比切換棒２０の頭部２２を本体１１の上面板に当接させることにより変流比切換棒２０の移動範囲を制限したが、たとえば、中央部に変流比切換棒２０を貫通させるための貫通孔が形成されたストッパを本体１１の青相用の入力端子１２B3および出力端子１３B3よりも下側に設けて、変流比切換棒２０の第３の導電体部２３3がストッパに当接するようにして変流比切換棒２０の移動範囲を制限してもよい。
【実施例２】
【００３１】
次に、本発明の第２の実施例による変流器用端子台の実施例について、図９を参照して説明する。
本実施例による変流器用端子台１００（不図示）は、以下に示す点で、上述した第１の実施例による変流器用端子台１０と異なる。
（１）赤相用、白相用および青相用の入力側導電板１４３RI1，１４３RI2，１４３WI1，１４３WI2，１４３BI1，１４３BI2および出力側導電板１４３RO1，１４３RO2，１４３WO1，１４３WO2，１４３BO1，１４３BO2が、図９（ａ）に青相用の入力側導電板１４３BI1，１４３BI2および出力側導電板１４３BO1，１４３BO2について示すように、弾力性のある導電性の金属（たとえば、銅など）からなる先端部１４４RI1，１４４RI2，１４４WI1，１４４WI2，１４４BI1，１４４BI2，１４４RO1，１４４RO2，１４４WO1，１４４WO2，１４４BO1，１４４BO2を有する点。
（２）変流比切換棒１２０の第１乃至第３の導電体部１２３1，１２３2，１２３3の外周にネジ山が形成されていない点。
（３）変流比切換棒１２０の絶縁体部１２１の青相用の導電板１４３R3よりも下側にネジ山１２１ａが形成されている点。
（４）変流比切換棒１２０の絶縁体部１２１を貫通させるための貫通孔が中央部に形成された受台１７２が、図９（ｂ）に示すように、青相用の導電板１４３R3の下方に設けられている点。なお、受台１７２の貫通孔の内面全面には、変流比切換棒１２０のネジ山１２１ａと螺合するネジ山１７２ａが形成されている。
【００３２】
ここで、先端部１４４RI1，１４４RI2，１４４WI1，１４４WI2，１４４BI1，１４４BI2，１４４RO1，１４４RO2，１４４WO1，１４４WO2，１４４BO1，１４４BO2の厚さは、図９（ａ）に示すように、第１乃至第３の導電体部１２３1，１２３2，１２３3の外周に当接した状態では第１乃至第３の導電体部１２３1，１２３2，１２３3の外周によって押しつぶされて第１乃至第３の導電体部１２３1，１２３2，１２３3と電気的に接続するが、第１乃至第３の導電体部１２３1，１２３2，１２３3の外周に当接していない状態では第１乃至第３の導電体部１２３1，１２３2，１２３3の外周から離れて第１乃至第３の導電体部１２３1，１２３2，１２３3と電気的に接続しない厚さとされている。
【００３３】
変流比切換棒１２０のネジ山１２１ａと受台１７２とは、変流比切換棒１２０を絶縁体部１２１の軸方向の任意の位置に停止させるためのものである。
【００３４】
なお、本実施例による変流器用端子台１００では、赤相用、白相用および青相用の入力側導電板１４３RI1，１４３RI2，１４３WI1，１４３WI2，１４３BI1，１４３BI2、出力側導電板１４３RO1，１４３RO2，１４３WO1，１４３WO2，１４３BO1，１４３BO2、導電板１４３R3，１４３W3，１４３B3、入力側接続部１４５RI1，１４５RI2，１４５RI3，１４５WI1，１４５WI2，１４５WI3，１４５BI1，１４５BI2，１４５BI3および出力側接続部１４５RO1，１４５RO2，１４５WO1，１４５WO2，１４５BO1，１４５BO2は、好ましくは、本体１１１と電気的に絶縁された状態で本体１１１内に取り付けられる。
【実施例３】
【００３５】
次に、本発明の第３の実施例による変流器用端子台の実施例について、図１０を参照して説明する。
本実施例による変流器用端子台２００（不図示）は、表示用三角板３０の代わりに図１０（ａ）に示す変流比表示器２３０を具備する点で、上述した第１の実施例による変流器用端子台１０と異なる。
【００３６】
変流比表示器２３０は、連結棒２３１と、連結棒２３１の一端に設けられた円板状の歯車２３２と、連結棒２３１の他端に設けられた表示用円板２３３とを備える。ここで、表示用円板２３３の表面（連結棒２３１と反対側の面）には、本体２１１上に設けられた変流比表示板（不図示）に書かれた「３０００／５用」、「短絡」および「１５００／５用」を指すための黒三角の印が表示されている。
また、変流比切換棒２２０の絶縁体部２２１には、歯車２３２と噛み合う複数本の三角溝２２５が頭部２２２と第１の導電体部２２３1との間に形成されている。
これにより、図１０（ｂ）に示すように、変流比を切り換えるために変流比切換棒２２０を上下に移動すると、変流比切換棒２２０の三角溝２２５が上下に移動して変流比表示器２３０の歯車２３２を回して、変流比表示器２３０の表示用円板２３３の黒三角の印が現在の変流比を示すようにすることができる。
【実施例４】
【００３７】
次に、本発明の第４の実施例による変流器用端子台の実施例について、図１１乃至図１４を参照して説明する。
本実施例による変流器用端子台３００は、図１１（ａ）に示すように、本体３１１と、本体３１１の前面板３１１1の図示左側に設けられた赤相用の３個の入力端子３１２R1〜３１２R3、白相用の３個の入力端子３１２W1〜３１２W3および青相用の３個の入力端子３１２B1〜３１２B3と、本体３１１の前面板３１１1の図示右側に設けられた赤相用の２個の出力端子３１３R1，３１３R2、白相用の２個の出力端子３１３W1，３１３W2および青相用の２個の出力端子３１３B1，３１３B2と、赤相用の２個の出力端子３１３R1，３１３R2、白相用の２個の出力端子３１３W1，３１３W2および青相用の２個の出力端子３１３B1，３１３B2の間にそれぞれ設けられた赤相用、白相用および青相用の短絡端子３１４R，３１４W，３１４Bと、赤相用、白相用および青相用のタップネジ３２０R，３２０W，３２０Bと、赤相用、白相用および青相用の表示用三角板３３０R，３３０W，３３０Bとを具備する。
【００３８】
赤相用、白相用および青相用のタップネジ３２０R，３２０W，３２０Bは、図１１（ｂ）に示すように、絶縁体からなる頭部３２２R，３２２W，３２２Bと、導電体からなるネジ部３２３R，３２３W，３２３Bとを備える。
また、本体３１１の前面板３１１1には、赤相用、白相用および青相用のタップネジ３２０R，３２０W，３２０Bの頭部３２２R，３２２W，３２２Bの径よりも小さい径の貫通孔が、その中心が頭部３２２R，３２２W，３２２Bの中心と一致するように形成されている。これにより、本体３１１の前面板３１１1を赤相用、白相用および青相用のタップネジ３２０R，３２０W，３２０Bのストッパとして機能させることができる。
さらに、赤相用、白相用および青相用の入力側導電板３４３RI2，３４３WI2，３４３BI2と本体３１１の後面板３１１2との間の距離は、赤相用、白相用および青相用のタップネジ３２０R，３２０W，３２０Bのネジ部３２３R，３２３W，３２３Bの長さよりも短くされている。これにより、本体３１１の後面板３１１2を赤相用、白相用および青相用のタップネジ３２０R，３２０W，３２０Bのストッパとして機能させることができる。
【００３９】
赤相用の入力端子３１２R1，３１２R2と赤相用の出力端子３１３R1および短絡端子３１４Rとの間には赤相用の接続板３４０R1が設けられており、赤相用の入力端子３１２R3と赤相用の出力端子３１３R2との間には赤相用の接続板３４０R2が設けられている。
同様に、白相用の入力端子３１２W1，３１２W2と白相用の出力端子３１３W1および短絡端子３１４Wとの間には白相用の接続板３４０W1が設けられており、白相用の入力端子３１２W3と白相用の出力端子３１３W2との間には白相用の接続板３４０W2が設けられている。また、青相用の入力端子３１２B1，３１２B2と青相用の出力端子３１３B1および短絡端子３１４Bとの間には青相用の接続板３４０B1が設けられており、青相用の入力端子３１２B3と青相用の出力端子３１３B2との間には青相用の接続板３４０B2が設けられている。
【００４０】
ここで、赤相用の接続板３４０R1は、図１２（ａ），（ｂ）に示すように、赤相用のタップネジ３２０Rを貫通させるための貫通孔３４２Rが形成された絶縁板３４１Rと、２つの入力側導電板３４３RI1，３４３RI2と、１つの出力側導電板３４３RO1と、２つの入力側接続部３４５RI1，３４５RI2と、１つの出力側接続部３４５RO1とを備える。
入力側導電板３４３RI1は、幅が貫通孔３４２Rの径よりも小さくされており、また、幅方向の中心線が貫通孔３４２Rの中心と一致するように絶縁板３４１R1内に設けられている。入力側導電板３４３RI1の一端部は入力側接続部３４５RI1を介して入力端子３１２R1と電気的に接続されている。入力側導電板３４３RI1の他端部の先端部は貫通孔３４２Rの内面に露出しており、また、入力側導電板３４３RI1の他端部の先端部には、図１４（ａ）に示すように、ネジ山３４４RI1が形成されている。
入力側導電板３４３RI2は、幅が貫通孔３４２Rの径よりも小さくされており、また、幅方向の中心線が貫通孔３４２Rの中心と一致するように絶縁板３４１R1内の入力側導電板３４３RI1よりも本体３１１の後面板３１１2側に設けられている。入力側導電板３４３RI2の一端部は入力側接続部３４５RI2を介して入力端子３１２R2と電気的に接続されている。入力側導電板３４３RI2の他端部の先端部は貫通孔３４２Rの内面に露出しており、また、入力側導電板３４３RI2の他端部の先端部には、ネジ山３４４RI2が形成されている。
出力側導電板３４３RO1は、その前面が入力側導電板３４３RI1の前面と一致し、かつ、その後面が入力側導電板３４３RI2の後面と一致するように絶縁板３４１R1内に設けられている。出力側導電板３４３RO1の一端部は出力側接続部３４５RO1を介して出力端子３１３R1および短絡端子３１４Rと電気的に接続されている（すなわち、出力端子３１３R1および短絡端子３１４Rは出力側接続部３４５RO1によって電気的に接続されている。）。出力側導電板３４３RO1の他端部の先端部は貫通孔３４２Rの内面に露出しており、また、出力側導電板３４３RO1の他端部の先端部には、ネジ山３４４RO1が形成されている。
白相用および青相用の接続板３４０W1，３４０B1は、上述した赤相用の接続板３４０R1と同様に構成されている。
【００４１】
赤相用の接続板３４０R2は、図１３（ａ），（ｂ）に示すように、１つの導電板３４３R3と、１つの入力側接続部３４５RI3と、１つの出力側接続部３４５RO2とを備える。
導電板３４３R3の一端部は、入力側接続部３４５RI3を介して入力端子３１２R3と電気的に接続されている。導電板３４３R3の他端部は、出力側接続部３４５RO2を介して出力端子３１３R2と電気的に接続されている。
白相用および青相用の接続板３４０W2，３４０B2は、上述した赤相用の接続板３４０R2と同様に構成されている。
【００４２】
赤相用、白相用および青相用のタップネジ３２０R，３２０W，３２０Bのネジ部３２３R，３２３W，３２３Bの長さは、図１１（ｂ）に示すように、赤相用の入力側導電板３４３RI1および入力側導電板３４３RI2の間隔（＝白相用の入力側導電板３４３WI1および入力側導電板３４３WI2の間隔＝青相用の入力側導電板３４３BI1および入力側導電板３４３BI2の間隔）Ｌ４よりも短く、かつ、赤相用の入力側導電板３４３RI1および入力側導電板３４３RI2の間隙長（＝白相用の入力側導電板３４３WI1および入力側導電板３４３WI2の間隙長＝青相用の入力側導電板３４３BI1および入力側導電板３４３BI2の間隙長）Ｌ５よりも長くされている。これにより、図１４（ａ）に示すように赤相用、白相用および青相用のタップネジ３２０R，３２０W，３２０Bの頭部３２２R，３２２W，３２２Bが本体３１１の前面板３１１1に当接したときには、ネジ部３２３R，３２３W，３２３Bが入力側導電板３４３RI1，３４３WI1，３４３BI1および出力側導電板３４３RO1，３４３WO1，３４３BO1にそれぞれ接触し、かつ、図１４（ｃ）に示すようにネジ部３２３R，３２３W，３２３Bが本体３１１の後面板３１１2に当接したときには、ネジ部３２３R，３２３W，３２３Bが入力側導電板３４３RI2，３４３WI2，３４３BI2および出力側導電板３４３RO1，３４３WO1，３４３BO1にそれぞれ接触し、かつ、図１４（ｂ）に示すように変流比の切換時には、ネジ部３２３R，３２３W，３２３Bが入力側導電板３４３RI1，３４３RI2，３４３WI1，３４３WI2，３４３BI1，３４３BI2および出力側導電板３４３RO1，３４３WO1，３４３BO1にそれぞれ接触するため、赤相用、白相用および青相用のタップネジ３２０R，３２０W，３２０Bを本体３１１の前面板３１１1と後面板３１１2との間でその軸方向に移動することによって変流比を変換することができる。
【００４３】
赤相用、白相用および青相用の表示用三角板３３０R，３３０W，３３０B2は、赤相用、白相用および青相用の入力端子３１２R1，３１２W1，３１２B1および出力端子３１３R1，３１３W1，３１３B1の間にそれぞれ設けられており、変流比を示す表示（３０００／５および１５００／５）が赤相用、白相用および青相用の入力端子３１２R2，３１２W2，３１２B2および短絡端子３１４R，３１４W，３１４Bの間にそれぞれ設けられている。
【００４４】
赤相用、白相用および青相用の表示用三角板３３０R，３３０W，３３０B2は、タップネジ３２０R，３２０W，３２０Bによる変流比の切換時に作業員が手で動かしてもよいが、以下のようにして動かすようにしてもよい。
すなわち、図１５（ａ）に示すように、支持台３３１R，３３１W，３３１Bの一端に表示用三角板３３０R，３３０W，３３０Bを取り付ける。本体３１１の前面板３１１1および接続板３４０R1，３４０W1，３４０B1の絶縁板３４１R1，３４１W1，３４１B1に支持台３３１R，３３１W，３３１Bをスライドさせるための溝を前面板３１１1の貫通孔を横切るように設ける。支持台３３１R，３３１W，３３１Bの表示用三角板３３０R，３３０W，３３０Bを取り付けた側の側面と絶縁板３４１R1，３４１W1，３４１B1と間に、支持台３３１R，３３１W，３３１Bを本体３１１の横方向に付勢するためのバネ３３２R，３３２W，３３２Bを取り付ける。
これにより、作業員がタップネジ３２０R，３２０W，３２０Bを回して変流比を３０００：５から１５００：５に変換すると、表示用三角板３３０R，３３０W，３３０Bを自動的に動かすことができる。なお、作業員がタップネジ３２０R，３２０W，３２０Bを回して変流比を１５００：５から３０００：５に変換する場合には、作業員は表示用三角板３３０R，３３０W，３３０Bを手で動かす。
【００４５】
以上の説明においては、赤相用、白相用および青相用の接続板３４０R1，３４０R2，３４０W1，３４０W2，３４０B1，３４０B2を絶縁板３４１R1，３４１R2，３４１W1，３４１W2，３４１B1，３４１B2を用いて構成したが、絶縁板３４１R1，３４１R2，３４１W1，３４１W2，３４１B1，３４１B2はなくてもよい。この場合には、赤相用、白相用および青相用の入力側導電板３４３RI1，３４３RI2，３４３WI1，３４３WI2，３４３BI1，３４３BI2、出力側導電板３４３RO1，３４３WO1，３４３BO1、導電板３４３R3，３４３W3，３４３B3、入力側接続部３４５RI1，３４５RI2，３４５RI3，３４５WI1，３４５WI2，３４５WI3，３４５BI1，３４５BI2，３４５BI3および出力側接続部３４５RO1，３４５RO2，３４５WO1，３４５WO2，３４５BO1，３４５BO2は、本体３１１と電気的に絶縁された状態で本体３１１内に取り付けられる。
【００４６】
以上説明した第１乃至第４の実施例による変流器用端子台１０，１００，２００，３００はＣＴ２次用のものであるが、ＣＴ３次用についても、図１６に示す変流器用端子台４００および図１７に示す変流器用端子台５００を同様にして構成することにより、同様の効果を得ることができる。
【００４７】
この場合、変流器用端子台４００では、図２に示した赤相用の接続板４０Rから導電板４３R3、入力側接続部４５RI3および出力側接続部４５RO2を取り除いたものを２個用いて、そのうちの１個を赤相用の入力端子４１２R1（変流比２００：５用），４１２R2（変流比１００：５用）と出力端子４１３R1および短絡端子４１４R1との間に設けるとともに、他の１個を赤相用の入力端子４１２R3（変流比２００：５用），４１２R4（変流比１００：５用）と出力端子４１３R2および短絡端子４１４R2との間に設ける。白相および青相についても同様に構成する。
また、変流比切換棒４２０に図３に示した第１の導電体部２３1と同じ構成の導電体部を各相（赤相用、白相用および青相）について２個ずつ設けて、変流比切換棒４２０を用いて変流比を２００：５または１００：５に変換する。
【００４８】
変流器用端子台５００では、図１２に示した赤相用の接続板３４０Rを２個用いて、そのうちの１個を赤相用の入力端子５１２R1（２００／５用），５１２R2（１００／５用）と出力端子５１３R1および短絡端子５１４R1との間に設けるとともに、他の１個を赤相用の入力端子５１２R3（２００／５用），５１２R4（１００／５用）と出力端子５１３R2および短絡端子５１４R2との間に設ける。白相および青相についても同様に構成する。
また、図１１（ｂ）に示したタップネジ３２０Rと同じ構成のタップネジを各相（赤相用、白相用および青相）について２個ずつ設けて、これらのタップネジを用いて変流比を２００：５または１００：５に変換する。
さらに、図１１に示した表示用三角板３３０Rと同じ構成の表示用三角板を各相について２個ずつ、その先端が互いに対向するように取り付ける。
【００４９】
ＣＴ２次およびＣＴ３次の両方がある場合には、図１に示した変流器用端子台１０と図１６に示した変流器用端子台４００とを組み合わせたり、図１１に示した変流器用端子台３００と図１７に示した変流器用端子台５００とを組み合わせたりすればよい。
【図面の簡単な説明】
【００５０】
【図１】本発明の第１の実施例による変流器用端子台１０の構成を示す図である。
【図２】図１に示した変流器用端子台１０が備える接続板４０Rの構成を示す図である。
【図３】図１に示した変流器用端子台１０が備える変流比切換棒２０の構成を示す図である。
【図４】図１に示した変流器用端子台１０が備える接続板４０Rの構成を示す図である。
【図５】図１に示した変流器用端子台１０における変流比の切換方法を説明するための図である。
【図６】図１に示した変流器用端子台１０において使用される短絡用板５１の構成を示す図である。
【図７】図６に示した短絡用板５１の使用方法を説明するための図である。
【図８】図１に示した変流器用端子台１０を用いた場合における図１８に示した変流器６００1，６００2，６００3の変流比を１５００Ａ：５Ａから３０００Ａ：５Ａに変換する場合における作業手順について説明するための図である。
【図９】本発明の第２の実施例による変流器用端子台１００が備える変流比切換棒１２０、入力側導電板１４３BI1，１４３BI2および出力側導電板１４３BO1，１４３BO2の構成を示す図である。
【図１０】本発明の第３の実施例による変流器用端子台２００が備える変流比表示器２３０の構成を示す図である。
【図１１】本発明の第４の実施例による変流器用端子台３００の構成を示す図である。
【図１２】図１１に示した変流器用端子台３００が備える接続板３４０R1の構成を示す図である。
【図１３】図１１に示した変流器用端子台３００が備える接続板３４０R2の構成を示す図である。
【図１４】図１１に示した変流器用端子台３００における変流比の切換方法を説明するための図である。
【図１５】図１１に示した表示用三角板３３０Rをバネ３３２Rを用いて動かす場合の構成を示す図である。
【図１６】ＣＴ３次用の変流器用端子台４００の構成を示す図である。
【図１７】ＣＴ３次用の他の変流器用端子台５００の構成を示す図である。
【図１８】従来技術について説明するための図である。
【図１９】従来の制御ケーブルを切断して変流器の変流比を変換する方法について説明するための図である。
【図２０】従来の二段構造のスタッド形端子および短絡片を使用した変流器用端子台の構造と変流比を変換する方法について説明するための図である。
【符号の説明】
【００５１】
１０，１００，２００，３００，４００，５００，６１０  変流器用端子台
１１，２１１，３１１，４１１，５１１  本体
１１1，３１１1，４１１1，５１１1  前面板
１２R1〜１２R3，１２W1〜１２W3，１２B1〜１２B3，３１２R1〜３１２R3，３１２W1〜３１２W3，３１２B1〜３１２B3，４１２R1〜４１２R4，４１２W1〜４１２W4，４１２B1〜４１２B4，５１２R1〜５１２R4，５１２W1〜５１２W4，５１２B1〜５１２B4  入力端子
１３R1，１３R2，１３W1，１３W2，１３B1，１３B2，３１３R1，３１３R2，３１３W1，３１３W2，３１３B1，３１３B2，４１３R1，４１３R2，４１３W1，４１３W2，４１３B1，４１３B2，５１３R1，５１３R2，５１３W1，５１３W2，５１３B1，５１３B2  出力端子
１４R，１４W，１４B，３１４R，３１４W，３１４B，４１４R1，４１４R2，４１４W1，４１４W2，４１４B1，４１４B2，５１４R1，５１４R2，５１４W1，５１４W2，５１４B1，５１４B2  短絡端子
２０，１２０，２２０，４２０  変流比切換棒
２１，１２１，２２１  絶縁体部
２２，２２２  頭部
２３1〜２３3，１２３1〜１２３3  第１乃至第３の導電体部
２４1〜２４3  第１乃至第３のネジ山
３０，３３０R，３３０W，３３０B，４３０  表示用三角板
４０R，４０W，４０B，３４０R1，３４０R2，３４０W1，３４０W2，３４０B1，３４０B2  接続板
４１R，４１W，４１B，３４１R1，３４１R2，３４１W1，３４１W2，３４１B1，３４１B2  絶縁板
４２R，４２W，４２B，３４２R，３４２W，３４２B  貫通孔
４３RI1，４３RI2，４３WI1，４３WI2，４３BI1，４３BI2，１４３RI1，１４３RI2，１４３WI1，１４３WI2，１４３BI1，１４３BI2，２４３RI1，２４３RI2，２４３WI1，２４３WI2，２４３BI1，２４３BI2，３４３RI1，３４３RI2，３４３WI1，３４３WI2，３４３BI1，３４３BI2  入力側導電板
４３RO1，４３RO2，４３WO1，４３WO2，４３BO1，４３BO2，１４３RO1，１４３RO2，１４３WO1，１４３WO2，１４３BO1，１４３BO2，２４３RO1，２４３RO2，２４３WO1，２４３WO2，２４３BO1，２４３BO2，３４３RO1，３４３WO1，３４３BO1  出力側導電板
４３R3，４３W3，４３B3，３４３R3，３４３W3，３４３B3  導電板
４４RI1，４４RI2，４４WI1，４４WI2，４４BI1，４４BI2，４４RO1，４４RO2，４４WO1，４４WO2，４４BO1，４４BO2，３４４RI1，３４４RI2，３４４WI1，３４４WI2，３４４BI1，３４４BI2，３４４RO1，３４４WO1，３４４BO1  ネジ山
４５RI1〜４５RI3，４５WI1〜４５WI3，４５BI1〜４５BI3，３４５RI1〜３４５RI3，３４５WI1〜３４５WI3，３４５BI1〜３４５BI3  入力側接続部
４５RO1，４５RO2，４５WO1，４５WO2，４５BO1，４５BO2，３４５RO1，３４５RO2，３４５WO1，３４５WO2，３４５BO1，３４５BO2  出力側接続部
５１  短絡用板
５２1〜５２3  第１乃至第３の貫通孔
５３1〜５３3  第１乃至第３の短絡用ネジ
１２１ａ，１７２ａ  ネジ山
１４４RI1，１４４RI2，１４４WI1，１４４WI2，１４４BI1，１４４BI2，１４４RO1，１４４RO2，１４４WO1，１４４WO2，１４４BO1，１４４BO2  先端部
１７２  受台
２２５  三角溝
２３０  変流比表示器
２３１  連結棒
２３２  歯車
２３３  表示用円板
３１１2  後面板
３２０R，３２０W，３２０B  タップネジ
３２２R，３２２W，３２２B  頭部
３２３R，３２３W，３２３B  ネジ部
３３１R，３３１W，３３１B  支持台
３３２R，３３２W，３３２B  バネ
６００1〜６００3  変流器
６２０1〜６２０3  制御ケーブル
６２１1〜６２１3，６２２1〜６２２3  圧着端子
６３０  スタッド形端子
６３１  短絡片
Ｌ１，Ｌ３，Ｌ４  間隔
Ｌ２，Ｌ５  間隙長
Ｗ１，Ｗ２，Ｗ３  幅
【図１】
2008108853.tif 000003
【図２】
2008108853.tif 000004
【図３】
2008108853.tif 000005
【図４】
2008108853.tif 000006
【図５】
2008108853.tif 000007
【図６】
2008108853.tif 000008
【図７】
2008108853.tif 000009
【図８】
2008108853.tif 000010
【図９】
2008108853.tif 000011
【図１０】
2008108853.tif 000012
【図１１】
2008108853.tif 000013
【図１２】
2008108853.tif 000014
【図１３】
2008108853.tif 000015
【図１４】
2008108853.tif 000016
【図１５】
2008108853.tif 000017
【図１６】
2008108853.tif 000018
【図１７】
2008108853.tif 000019
【図１８】
2008108853.tif 000020
【図１９】
2008108853.tif 000021
【図２０】
2008108853.tif 000022